(57)【要約】      （修正有）【課題】  異常状態発生箇所や異常状態の内容等を認識し特定することができる無線通報装置を提供する。【解決手段】  異常状態検出手段によって異常が検出された場合に個別番号記憶手段に記憶された個別番号を無線電波で送信する複数の個別番号送信手段と、上記個別番号送信手段から送信される無線電波を受信して個別番号を検出する個別番号検出手段と、マイクロホン１０から入力されて録音された音声信号を複数個記憶するための音声信号記憶手段と、上記音声信号記憶手段に記憶された複数の音声信号をそれぞれ上記個別番号に対応させ、上記個別番号検出手段によって個別番号が検出された場合に、検出された個別番号に対応する音声信号を選択する音声信号選択手段と、上記音声信号選択手段によって選択された音声信号を上記音声信号記憶手段の中から抽出して再生するための音声信号再生手段とを備える。【選択図】図１
2006065824.tif 000002
【特許請求の範囲】
【請求項１】
異常状態を検出するための異常状態検出手段と、予め決められた固有の個別番号を記憶する個別番号記憶手段と、上記異常状態検出手段によって異常が検出された場合に上記個別番号記憶手段に記憶された個別番号を無線電波で送信する無線送信手段とを備えた複数の個別番号送信手段と、上記個別番号送信手段から送信される無線電波を受信して復調する受信復調手段と、上記受信復調手段が出力する復調信号から個別番号を検出する個別番号検出手段と、音声信号を入力するためのマイクロホンと、上記マイクロホンから入力された音声信号を録音するための音声信号録音手段と、上記音声信号録音手段によって録音される音声信号を複数個記憶するための音声信号記憶手段と、上記音声信号記憶手段に記憶された複数の音声信号をそれぞれ上記個別番号に対応させ、上記個別番号検出手段によって個別番号が検出された場合に、検出された個別番号に対応する音声信号を選択する音声信号選択手段と上記音声信号選択手段によって選択された音声信号を上記音声信号記憶手段の中から抽出して再生するための音声信号再生手段とを備えたことを特徴とする無線通報装置。
【発明の詳細な説明】
【技術分野】
【０００１】  本発明は、各種の異常状態を無線で通報することの出来る無線通報装置に関するものである。
【背景技術】
【０００２】  近年、無線通報装置は、セキュリティ需要の増加に伴い、様々な方式のものが製品化され、その市場は増加の一途を辿っている。【０００３】  以下図面を参照しながら、上述した従来の無線通報装置の一例について説明する。図２は従来の無線通報装置の個別番号送信手段のブロック図、また図３は従来の無線通報装置のブロック図をそれぞれ示すものである。【０００４】  図２において、１は異常状態検出手段であり、人が接近したことを検出する人体検出手段、振動が発生したことを検出する振動検出手段、物体が破壊されたときに発生する音響を検出する音響検出手段、ランプが点灯したことを検出する光検出手段、人が自分の意思で無線通報するためのスイッチなど、状態が変化したことを検出する各種の手段である。【０００５】  ２は個別番号記憶手段で、予め割り当てられ且つ重複しない個別番号又は記号を記憶する。３は、無線送信手段で、異常状態検出手段１及び個別番号記憶手段２を入力信号とする。無線送信手段３は、異常状態検出手段１が異常状態を検出した場合に、個別番号記憶手段２に記憶された個別番号又は記号を無線電波として送信アンテナ５によって空間へ輻射する。【０００６】  ４は個別番号送信手段で、異常状態検出手段１と個別番号記憶手段２と無線送信手段３とを備え、異常状態が発生した場合に予め決められた個別番号送信手段４固有の個別番号を無線電波で送信する。【０００７】  次に、上記した個別番号送信手段４を場所別に或いは目的別に４個設置して無線通報装置を構成した実施例について図３を用いて説明する。【０００８】  図３において、４ａ、４ｂ、４ｃ及び４ｄはそれぞれ異なる個別番号を有する個別番号送信手段でそれぞれの個別番号を「Ａ」、「Ｂ」、「Ｃ」及び「Ｄ」の記号とする。【０００９】  個別番号送信手段４ａが異常状態を検出した場合には、記号「Ａ」を無線電波で送信する。以下同様に、各個別番号送信手段４ｂ、４ｃ及び４ｄが異常状態を検出した場合には、それぞれ記号「Ｂ」、「Ｃ」及び「Ｄ」を無線電波で送信する。【００１０】  ６は受信アンテナで個別番号送信手段４ａ、４ｂ、４ｃ及び４ｄから送信された無線電波を受信する。７は、受信復調手段で受信アンテナ６が受信した無線電波を復調する。８は個別番号検出手段で、受信復調手段７の出力に接続され、受信復調手段７が出力する復調信号から個別番号を検出する。【００１１】  １８は警報音発生手段、１６はスピーカで、警報音発生手段１８は個別番号検出手段８が個別番号を検出した場合にスピーカ１６から警報音を発生させる。【００１２】  １９は個別番号表示手段で、個別番号検出手段８が個別番号を検出した場合に、個別番号「Ａ」、「Ｂ」、「Ｃ」及び「Ｄ」のいずれかを表示する。【００１３】  以上のように構成された無線通報装置について、以下図２及び図３を用いてその動作を説明する。まず、図３において、個別番号送信手段４ａに異常状態が発生したと仮定する。【００１４】  次に、図２において、異常状態を検出した異常状態検出手段１は、検出した異常状態を無線送信手段３に伝達する。無線送信手段３は、異常状態検出手段１が異常状態を検出したので、個別番号記憶手段２に記憶された個別番号を無線電波として���間へ輻射する。【００１５】  この場合、個別番号送信手段４ａに異常状態が発生したので、結果として、個別番号送信手段４ａが、固有の個別番号「Ａ」を無線電波で送信したことになる。【００１６】  個別番号送信手段４ａから送信された無線電波は、受信復調手段７によって受信復調され、個別番号検出手段８によって復調信号の中から個別番号「Ａ」が検出される。検出された個別番号「Ａ」は、警報音発生手段１８に入力されるとともに個別番号表示手段１９にも入力される。【００１７】  警報音発生手段１８は個別番号検出手段８が個別番号を検出したのでスピーカ１６から警報音を発生する。【００１８】  また個別番号表示手段１９は、個別番号検出手段８が個別番号「Ａ」を検出したので個別番号「Ａ」を表示する。【００１９】  すなわち、個別番号送信手段４ａに異常状態が発生すると、スピーカ１６から警報音が鳴るので異常状態が発生したことを知ることが出来ると同時に、個別番号表示手段１９に個別番号「Ａ」が表示されるので、異常状態は個別番号送信手段４ａが設置された場所で発生したことが分かる。
【発明の開示】
【発明が解決しようとする課題】
【００２０】  しかしながら上記のような構成では、
（１）個別番号送信手段４の設置数が多い場合には、番号や記号だけの表示では、異常状態が発生した場所や異常状態の内容を即座に特定することが困難である。そのために番号又は記号と場所名又は異常状態の説明を対応させた配置図又は表が必要になる。しかし、場所や異常内容を特定するためには、「警報が鳴る」次に、「個別番号を見る」次に、「個別番号に対応した配置図又は表を見る」という手順を踏まなければならず、非常に煩雑である。【００２１】（２）警報音が鳴った場合には、異常状態が発生した場所や異常状態の内容を特定するために、個別番号表示手段が視覚で認知出来る場所まで行かなければならない。例えば、二階建ての建物で人が二階にいる場合に、一階に設置した無線通報装置から警報が鳴った場合には、必ず一階に行って、個別番号表示手段に表示された個別番号を見なければならず、非常に煩雑である。
という問題点を有していた。【００２２】  本発明は上記問題点を解決し、異常状態が発生する場所名や異常状態の内容等を、予め人の声で、それぞれの個別番号に対応した音声信号として録音して記憶しておき、異常状態が発生した場合には、異常状態が発生した場所から送信される個別番号に対応する音声信号を再生することにより、個別番号とそれに対応する異常状態発生箇所の配置図や内容とを対比させる必要がなく、再生された音声信号を聞くだけで即座に異常状態の発生箇所や異常状態の内容を認識できる無線通報装置を提供することにある。
【課題を解決するための手段】
【００２３】  上記問題点を解決するために本発明の無線通報装置は、異常状態を検出するための異常状態検出手段と、予め決められた固有の個別番号を記憶する個別番号記憶手段と、上記異常状態検出手段によって異常が検出された場合に上記個別番号記憶手段に記憶された個別番号を無線電波で送信する無線送信手段とを備えた複数の個別番号送信手段と、上記個別番号送信手段から送信される無線電波を受信して復調する受信復調手段と、上記受信復調手段が出力する復調信号から個別番号を検出する個別番号検出手段と、音声信号を入力するためのマイクロホンと上記マイクロホンから入力された音声信号を録音するための音声信号録音手段と、上記音声信号録音手段によって録音される音声信号を複数個記憶するための音声信号記憶手段と、上記音声信号記憶手段に記憶された複数の音声信号をそれぞれ上記個別番号に対応させ、上記個別番号検出手段によって個別番号が検出された場合に、検出された個別番号に対応する音声信号を選択する音声信号選択手段と、上記音声信号選択手段によって選択された音声信号を上記音声信号記憶手段の中から抽出して再生するための音声信号再生手段とを備えたことを特徴とする。
【発明の効果】
【００２４】  本発明の無線通報装置は、上記した構成によって、異常状態が発生する場所名や異常状態の内容等を、予め人の声で、それぞれの個別番号に対応した音声信号として録音して記憶しておき、異常状態が発生した場合には、異常状態が発生した場所から送信される個別番号に対応する音声信号を再生するので、異常状態が発生した場合には、個別番号表示手段が設置された場所へ行って個別番号を確認する必要がなく、従って個別番号とそれに対応する異常状態発生箇所の配置図や異常状態の内容等とを対比させる必要もなく、再生された音声信号を聞くだけで瞬時に異常状態発生箇所や異常状態の内容等を認識し、特定することができる。
【発明を実施するための最良の形態】
【００２５】  以下本発明に係るの実施形態について、図面を参照して説明する。
なお、同様の構成要素については同一の符号を付している。
【実施例１】
【００２６】  図１は本発明の実施例の無線通報装置のブロック図を示すものである。図１において、図３と同一の符号を付したものは、その機能、動作において全く同一なので説明を省略する。【００２７】  図１において、１０はマイクロホンで人の音声を記録可能な電気信号に変換する。１１は音声信号録音手段で、上記マイクロホン１０に接続され、マイクロホン１０から入力された音声信号の録音動作を行う。１３は音声信号記憶手段で、４個の音声信号データＡ、Ｂ、Ｃ及びＤを記憶する。【００２８】  １２は録音信号切替スイッチで、端子ａ、ｂ、ｃ、ｄ及び端子ｏｆｆを有し、通常は端子ｏｆｆに接続されている。録音信号切替スイッチ１２は、音声信号録音手段１１と音声信号記憶手段１３の間に接続されており、録音信号切替スイッチ１２が端子ｏｆｆに接続されている場合には何の動作も行わないが、録音信号切替スイッチ１２が端子ａに接続された場合には、音声信号録音手段で録音される音声信号を音声信号データＡとして音声信号記憶手段１３に記憶する。同様に、録音信号切替スイッチ１２が端子ｂ、ｃ又はｄに接続された場合には、音声信号録音手段１１で録音される音声信号をそれぞれ音声信号データＢ、Ｃ又はＤとして音声信号記憶手段１３に記憶する。【００２９】  １５は音声信号再生手段で、音声信号記憶手段１３に記憶された音声信号データを再生する。【００３０】  １４は再生信号切替スイッチで、端子ａ、ｂ、ｃ、ｄ及び端子ｏｆｆを有し、通常は端子ｏｆｆに接続されている。再生信号切替スイッチ１４は、音声信号再生手段１５と音声信号記憶手段１３の間に接続されており、再生信号切替スイッチ１４が端子ｏｆｆに接続されている場合には何の動作も行わないが、再生信号切替スイッチ１４が端子ａに接続された場合には、音声信号記憶手段１３に記憶された音声信号データＡを音声信号再生手段１５に入力する。同様に、再生信号切替スイッチ１４が端子ｂ、ｃ又はｄに接続された場合には、音声信号記憶手段１３に記憶された音声信号データＢ、Ｃ又はＤをそれぞれ音声信号再生手段１５に入力する。【００３１】  ９は音声信号選択手段で、その入力は個別番号検出手段８の出力に接続されており、個別番号が入力された場合に上記個別番号に対応する音声信号記憶手段１３に記憶された音声信号データを選択する。音声信号選択手段９の出力は再生信号切替スイッチ１４の制御信号として機能し、再生信号切替スイッチ１４が音声信号選択手段９に入力された個別番号に対応する音声信号データＡ、Ｂ、Ｃ又はＤのいずれかを選択するように機能する。【００３２】  すなわち、個別番号送信手段４ａが個別番号「Ａ」を送信した場合には、音声信号選択手段９には個別番号「Ａ」が入力されるので、再生信号切替スイッチ１４は端子ａに接続され、音声信号記憶手段１３に記憶された音声信号データＡが音声信号再生手段１５に伝達されることとなる。【００３３】  同様に、個別番号送信手段４ｂ、４ｃ又は４ｄがそれぞれ個別番号「Ｂ」、「Ｃ」又は「Ｄ」を送信した場合には、それぞれ音声信号データＢ、Ｃ又はＤが音声信号再生手段１５に伝達される。１６はスピーカで、音声信号再生手段１５が出力する音声信号を音響に変換する。【００３４】  以上のように構成された無線通報装置について、以下図１を用いてその動作を説明する。【００３５】  まず、図１において、通常は端子ｏｆｆに接続されていて何も機能していない録音信号切替スイッチ１２を、端子ａに接続する。そして、個別番号送信手段４ａが設置された場所名又は個別番号送信手段４ａに異常状態が発生した場合に通報すべき異常状態の内容等について、人の任意の音声をマイクロホン１０に向かって発声する。【００３６】  発声された人の音声は音声信号録音手段１１によって録音信号切替スイッチ１２を経由して音声信号記憶手段１３の音声信号データＡの記憶領域に記憶される。同様に、個別番号送信手段４ｂ、４ｃ及び４ｄについても、録音信号切替スイッチ１２をそれぞれ端子ｂ、ｃ及びｄに接続してマイクロホン１０に向かって発声することにより、音声はそれぞれ音声信号記憶手段１３の音声信号データＢ、Ｃ及びＤの記憶領域に記憶される。【００３７】  次に図１において、個別番号送信手段４ａに異常状態が発生したと仮定する。この状態から、個別番号検出手段８によって復調信号の中から個別番号「Ａ」が検出されるまでの動作の過程は、従来例と全く同一のため、説明を省略する。【００３８】  次に個別番号検出手段８によって検出された個別番号「Ａ」は、音声信号選択手段９に入力される。音声信号選択手段９は通常は再生信号切替スイッチ１４を端子ｏｆｆに接続しているが、個別番号「Ａ」が入力されたので再生信号切替スイッチ１４を端子ａに接続する。【００３９】  従って、音声信号記憶手段１３に記憶された音声信号データＡが再生信号切替スイッチ１４を経由して音声信号再生手段１５に入力され、音声信号に再生される。そして、スピーカ１６によって音響に変換されるので、結果的として個別番号送信手段４ａに異常状態が発生した場合には、スピーカ１６から音声信号記憶手段１３の音声信号データＡが音響として再生される。【００４０】  個別番号送信手段４ｂ、４ｃ及び４ｄに異常状態が発生した場合も同様の動作により、スピーカ１６から音声信号記憶手段１３の音声信号テータＢ、Ｃ及びＤが音響として再生される。【００４１】  再生される音響は、個別番号送信手段４ａ、４ｂ、４ｃ又は４ｄを設置した場所名、又は個別番号送信手段４ａ、４ｂ、４ｃ又は４ｄに異常状態が発生した場合に通報すべき内容等について、予め録音されたものであるから、表示等を見る必要がなく、再生される音響を聞くだけで、異常状態が発生した場所や異常状態の内容等を即座に認識することが出来る。【００４２】  以上のように本実施の形態によれば、異常状態を検出するための異常状態検出手段と、予め決められた固有の個別番号を記憶する個別番号記憶手段と、上記異常状態検出手段によって異常が検出された場合に上記個別番号記憶手段に記憶された個別番号を無線電波で送信する無線送信手段とを備えた複数の個別番号送信手段と、上記個別番号送信手段から送信される無線電波を受信して復調する受信復調手段と、上記受信復調手段が出力する復調信号から個別番号を検出する個別番号検出手段と、音声信号を入力するためのマイクロホンと、上記マイクロホンから入力された音声信号を録音するための音声信号録音手段と、上記音声信号録��手段によって録音される音声信号を複数個記憶するための音声信号記憶手段と、上記音声信号記憶手段に記憶された複数の音声信号をそれぞれ上記個別番号に対応させ、上記個別番号検出手段によって個別番号が検出された場合に、検出された個別番号に対応する音声信号を選択する音声信号選択手段と、上記音声信号選択手段によって選択された音声信号を上記音声信号記憶手段の中から抽出して再生するための音声信号再生手段とを設けることにより、異常状態が発生する場所名や異常状態の内容等を、予め人の声で、それぞれの個別番号に対応した音声信号として録音して記憶しておき、異常状態が発生した場合には、異常状態が発生した場所から送信される個別番号に対応する音声信号を再生するので、異常状態が発生した場合には、個別番号表示手段が設置された場所へ行って個別番号を確認する必要がなく、従って個別番号とそれに対応する異常状態発生箇所の配置図や異常状態の内容等とを対比させる必要もなく、再生された音声信号を聞くだけで即座に異常状態発生箇所や異常状態の内容等を認識し、特定することができる。【００４３】  なお、本実施の形態において音声信号記憶手段１３の種類については特に言及していないが、音声データが記憶できる手段であればアナログ方式、デジタル方式のどちらでもよい。  さらに、本実施の形態では個別番号送信手段４ａ、４ｂ、４ｃ又は４ｄから送信された無線電波は、受信アンテナ６によって直接受信されるものとして説明しているが、個別番号送信手段４ａ、４ｂ、４ｃ又は４ｄと受信アンテナ６との間に無線中継器を１個又は複数個設置し、個別番号送信手段４ａ、４ｂ、４ｃ又は４ｄから送信された無線電波を中継して受信アンテナ６に到達させることにより、通報の到達距離を著しく伸ばすことが出来るのは言うまでもない。【００４４】  また、本実施の形態において個別番号送信手段４ａ、４ｂ、４ｃ及び４ｄは合計４個として説明したが、本発明の原理から明らかなように、個別番号送信手段と音声信号記憶手段１３に記憶される音声信号の数には制限はない。
【図面の簡単な説明】
【００４５】
【００４６】
【図１】本発明の実施形態を示す無線通報装置のブロック図
【図２】本発明の実施形態の無線通報装置の個別番号送信手段のブロック図
【図３】従来の無線通報装置のブロック図
【符号の説明】
【００４７】１  異常状態検出手段
２  個別番号記憶手段
３  無線送信手段
４ａ〜４ｄ  個別番号送信手段Ａ〜Ｄ
６  受信アンテナ
７  受信復調手段
８  個別番号検出手段
９  音声信号選択手段
１０  マイクロホン
１１  音声信号録音手段
１２  録音信号切替スイッチ
１３  音声信号記憶手段
１４  再生信号切替スイッチ
１５  音声信号再生手段
１６  スピーカ
１８  警報音発生手段
１９  個別番号表示手段
【図１】
2006065824.tif 000003
【図２】
2006065824.tif 000004
【図３】
2006065824.tif 000005